(57)【要約】      （修正有）【課題】テープ材の計数装置における計数値の許容できない誤差の発生を防止する。【解決手段】電子部品実装機は、回路基板に電子部品を装着する装着ヘッドと、複数の電子部品を収容する第１のテープ材を装着ヘッドに対して送り出すテープフィーダと、前記第１のテープ材が収容する電子部品数の初期値から、前記電子部品実装機の動作量に応じた消費数を減算することによって、前記第１のテープ材に残存する電子部品数を計数する計数装置４２と、前記第１のテープ材の終端に第２のテープ材の始端を繋ぎ合わせたスプライス部を検出する検出装置２２と、該検出装置がスプライス部を検出したときに、計数装置４２による計数値が所定の正常範囲内にあるのか否かを判定する判定装置４４とを備える.【選択図】図４
2020107906.tif 000002
【特許請求の範囲】
【請求項１】
回路基板に電子部品を装着する装着ヘッドを有する電子部品実装機であり、
複数の電子部品を収容する第１のテープ材を前記装着ヘッドに対して送り出すテープフィーダと、
前記第１のテープ材が収容する電子部品数の初期値から、前記電子部品実装機の動作量に応じた消費数を減算することによって、前記第１のテープ材に残存する電子部品数を計数する計数装置と、
前記第１のテープ材の終端に第２のテープ材の始端を繋ぎ合わせたスプライス部を検出する検出装置と、
前記検出装置が前記スプライス部を検出したときに、前記計数装置による計数値が所定の正常範囲内にあるのか否かを判定する判定装置と、
を備える電子部品実装機。
【請求項２】
前記判定装置は、前記第１のテープ材が収容する電子部品数の初期値に応じて、前記正常範囲を変更する、請求項１に記載の電子部品実装機。
【請求項３】
前記判定装置は、前記初期値に所定の係数を乗じることによって、前記正常範囲を規定する上限又は下限の少なくとも一方を決定する、請求項２に記載の電子部品実装機。
【請求項４】
前記判定装置は、前記初期値から所定の数を減算することによって、前記正常範囲を規定する上限又は下限の少なくとも一方を決定する、請求項２に記載の電子部品実装機。
【請求項５】
前記計数装置による計数値が前記正常範囲外にあるときに、所定の報知動作を実行する報知装置をさらに備える、請求項１から４のいずれか一項に記載の電子部品実装機。
【請求項６】
前記報知装置は、前記報知動作として、音、光、振動、電気信号、電波のなかの少なくとも一つを外部に発する、請求項５に記載の電子部品実装機。
【請求項７】
前記計数装置による計数値が前記正常範囲内にあるときに、前記計数装置による計数値を所定の正常値に補正する補正装置をさらに備える、請求項１から６のいずれか一項に記載の電子部品実装機。
【請求項８】
前記正常値は、前記検出装置が前記スプライス部を検出したときに、前記第１のテープ材に残存することが予定される電子部品数である、請求項７に記載の電子部品実装機。
【請求項９】
前記正常値は、前記第１のテープ材が単位長さあたりに収容する電子部品数に応じて変更される、請求項８に記載の電子部品実装機。
【発明の詳細な説明】
【技術分野】
【０００１】
ここで開示する技術は、回路基板に電子部品を装着する電子部品実装機に関する。
【背景技術】
【０００２】
特開２００５−１１６５９９号公報に、電子部品実装機（以下、実装機とも称する）が開示されている。この実装機は、テープ材を装着ヘッドに対して送り出すテープフィーダと、テープ材に残存する電子部品の数を計数する計数装置と、テープ材の終端に新たなテープ材の始端を繋ぎ合わせたスプライス部を検出する検出装置を備えている。計数装置は、検出装置がスプライス部を検出したときに、計数値をリセットするように構成されている。
【先行技術文献】
【特許文献】
【０００３】
【特許文献１】特開２００５−１１６５９９号公報
【発明の概要】
【発明が解決しようとする課題】
【０００４】
上記した実装機によると、検出装置がスプライス部を検出したときに、計数値をリセットすることによって、これまでに生じた計数値の誤差を取り除くことができる。しかしながら、検出装置の信頼性には限界があり、検出装置がスプライス部ではない部分をスプライス部として検出することも起こり得る。このような場合に、計数装置が計数値をリセットしてしまうと、その後の計数装置による計数値には許容できない誤差が生じてしまう。
【０００５】
本明細書は、上記の問題を解決又は少なくとも低減し得る技術を提供する。
【課題を解決するための手段】
【０００６】
検出装置がスプライス部を検出したときに、計数装置による計数値が十分に小さな値になっていれば、実際のスプライス部が正しく検出されたと判断することができる。それに対して、計数値が未だに大きな値であるときは、スプライス部ではない部分がスプライス部として検出されるなど、検出装置が誤作動したものと推定することができる。このように、検出装置がスプライス部を検出したときに、計数装置による計数値を参照することによって、検出装置が実際のスプライシング部を正しく検出したのか否かを判別することができる。
【０００７】
上記した知見に基づいて、電子部品実装機が開示される。この電子部品実装機は、回路基板に電子部品を装着する装着ヘッドと、複数の電子部品を収容する第１のテープ材を装着ヘッドに対して送り出すテープフィーダと、第１のテープ材が収容する電子部品数の初期値から、電子部品実装機の動作量に応じた消費数を減算することによって、第１のテープ材に残存する電子部品数を計数する計数装置と、第１のテープ材の終端に第２のテープ材の始端を繋ぎ合わせたスプライス部を検出する検出装置と、検出装置がスプライス部を検出したときに、計数装置による計数値が所定の正常範囲内にあるのか否かを判定する判定装置とを備える。
【０００８】
上記した構成によれば、検出装置がスプライス部を検出したときに、計数装置による計数値を参照することによって、検出装置による検出の適否を判別することができる。これにより、例えば検出装置の誤作動によって、計数装置による計数値が不適切にリセット又は補正されることを避けることができる。
【図面の簡単な説明】
【０００９】
【図１】実施例の電子部品実装機の構成を模式的に示す図。
【図２】テープフィーダ上のテープ材及びスプライス部を示す図。
【図３】電子部品実装機の電気的な構成を示す図。
【図４】制御装置の機能的な構成を示す図。
【発明を実施するための形態】
【００１０】
本技術の一実施形態において、判定装置は、第１のテープ材が収容する電子部品数の初期値に応じて、前記した正常範囲を変更することが好ましい。このような構成によると、電子部品数の初期値が異なる様々な第１のテープ材に応じて、検出装置による検出の適否を正しく判別することができる。
【００１１】
上記した実施形態において、判定装置は、第１のテープ材が収容する電子部品数の初期値に所定の係数を乗じることによって、前記した正常範囲を規定する上限又は下限の少なくとも一方を決定してもよい。あるいは、判定装置は、当該初期値から所定の数を減算することによって、当該正常範囲を規定する上限又は下限の少なくとも一方を決定してもよい。いずれの手法によっても、判定装置は、第１のテープ材が収容する電子部品数の初期値に応じて、計数装置による計数値の判定に用いる正常範囲を変更することができる。
【００１２】
本技術の一実施形態において、電子部品実装機は、計数装置による計数値が正常範囲外にあるときに、所定の報知動作を実行する報知装置をさらに備えることが好ましい。このような構成によると、電子部品実装機は、検出装置が誤作動したときに、そのことを例えば作業者やその他の装置に知らせることができる。
【００１３】
上記した実施形態において、報知装置は、前記した報知動作として、音、光、振動、電気信号、電波のなかの少なくとも一つを外部に発することが好ましい。具体例として、報知装置は、所定の警告音を発する、所定の警告灯を点灯する、液晶パネル等の光学的ディスプレイに所定の表示を行う、有線又は無線で外部の装置に所定の警告信号を送信する、ものであってよい。
【００１４】
本技術の一実施形態において、電子部品実装機は、計数装置による計数値が正常範囲内にあるときに、計数装置による計数値を所定の正常値に補正する補正装置をさらに備えることが好ましい。このような構成によると、検出装置がスプライス部を正しく検出したときに、計数装置による計数値（これは誤差を含み得る）を、正しい値に補正することができる。
【００１５】
上記の実施形態において、正常値は、検出装置がスプライス部を検出したときに、第１のテープ材に残存することが予定される電子部品数とするとよい。なお、当該予定される電子部品数は、検出装置がスプライス部を検出する検出位置と、装着ヘッドが第１のテープ材から電子部品を取り上げる取上位置との間の距離に基づいて、予め決定することができる。
【００１６】
上記の実施形態において、正常値は、第１のテープ材が単位長さあたりに収容する電子部品数に応じて変更されることが好ましい。このような構成によると、補正装置は、各種の第１のテープに応じて、計数値の補正を正しく実行することができる。
【実施例】
【００１７】
図面を参照して、実施例の電子部品実装機１０（以下、実装機１０とも称する）を説明する。図１に示すように、実装機１０は、回路基板２に複数の電子部品４を装着する装置である。実装機１０は、コンベア１２と、支持装置１４と、装着ヘッド１６と、移動装置１８と、複数のテープフィーダ２０と、検出装置２２と、制御装置３０と、タッチパネル３２とを備える。
【００１８】
コンベア１２は、回路基板２を実装機１０に搬入するとともに、複数の電子部品４が装着された回路基板２を実装機１０から搬出する装置である。支持装置１４は、コンベア１２が搬入した回路基板２を、所定の高さ位置で支持する装置である。装着ヘッド１６は、テープフィーダ２０から電子部品４を取り上げるとともに、その電子部品４を回路基板２上に装着する装置である。移動装置１８は、テープフィーダ２０及び支持装置１４に対して、装着ヘッド１６を移動させる装置である。
【００１９】
テープフィーダ２０は、装着ヘッド１６に電子部品４を供給する装置である。テープフィーダ２０は、実装機１０に対して着脱可能に構成されている。テープフィーダ２０は、リール６に巻かれたテープ材８を、装着ヘッド１６に対して送り出す。図２に示すように、テープ材８は、その長手方向に沿って、複数の電子部品４を等間隔で収容している。テープフィーダ２０は、送り機構２１によって、テープ材８を断続的に送り出す。それにより、各々の電子部品４が取上位置Ａへ順次配置される。取上位置Ａに配置された電子部品４は、装着ヘッド１６によって取り上げられ、回路基板２へ装着される。
【００２０】
実装機１０が動作を続けていくことで、リール６に巻かれていたテープ材８の残りが少なくなると、作業者によるスプライシング作業が行われる。図２に示すように、スプライシング作業とは、使用中のテープ材８ａ（以下、第１のテープ材８ａという）の終端８ｂに、新たなテープ材８ｃ（以下、第２のテープ材という）の始端８ｄを接続する作業である。一例ではあるが、二つのテープ材８ａ、８ｃは、例えば粘着性テープ９によって接続される。以下では、二つのテープ材８ａ、８ｃが互いに接続された部分をスプライス部と称する。
【００２１】
検出装置２２は、上述したスプライス部を検出するセンサである。検出装置２２の具体的な構成は特に限定されない。一例として、検出装置２２は、スプライス部の粘着性テープ９を検出する光学的なセンサとすることができる。図２に示すように、検出装置２２がスプライス部を検出する検出位置Ｂは、テープ材８の送り方向Ｃに関して、電子部品４の取上位置Ａよりも上流側に位置している。従って、スプライス部が検出装置２２による検出位置をＢに達した時点で、第１のテープ材８ａには、取上位置Ａから検出位置Ｂまでの距離に、第１のテープ材８ａが単位長さあたりに収容する電子部品数を乗じた数の電子部品４が残存することが予定される。以下、この数を予定残存数と称する。
【００２２】
制御装置３０は、実装機１０の各部の動作を制御する装置である。制御装置３０は、一又は複数のコンピュータによって構成することができる。図３に示すように、制御装置３０は、コンベア１２、支持装置１４、装着ヘッド１６、移動装置１８、テープフィーダ２０及びタッチパネル３２と通信可能に接続されており、それらに各種の制御信号を出力することができる。また、制御装置３０は、検出装置２２と電気的に接続されており、検出装置２２の検出結果（出力信号）を受信することができる。
【００２３】
タッチパネル３２は、ユーザインターフェースの一種であり、作業者から各種の指示を受け付けるとともに、作業者に対して各種の情報を表示することができる。例えばタッチパネル３２は、実装機１０において各種のエラーが生じたときに、そのエラーを作業者に表示することができる。
【００２４】
図４は、制御装置３０の機能的な構成の一部を示すブロック図である。図４に示すように、制御装置３０は、機能的に、計数装置４２と判定装置４４と補正装置４６とを備える。これらの装置４２、４４、４６は、制御装置３０を構成するハードウエア及びソフトウエアによって構成することができ、必ずしも互いに独立した装置には限られない。即ち、これらの装置４２、４４、４６の二以上が、共通のハードウエアによって構成されてもよい。
【００２５】
計数装置４２は、第１のテープ材８ａに残存する電子部品数を計数する。計数装置４２は、第１のテープ材８ａが収容する電子部品数の初期値から、実装機１０の動作量に応じた電子部品４の消費数を減算することによって、第１のテープ材８ａに残存する電子部品数を計数する。なお、第１のテープ材８ａが収容する電子部品数の初期値は、タッチパネル３２を介して作業者によって教示されてもよいし、データサーバといった外部の装置から取得されてもよい。計数装置４２は、教示又は取得された初期値を記憶することができる。また、上記した実装機１０の動作量とは、例えば実装機１０の動作回数であってもよいし、実装機１０の動作時間であってもよい。
【００２６】
判定装置４４は、検出装置２２がスプライス部を検出したときに、計数装置４２による計数値が所定の正常範囲内にあるのか否かを判定する。スプライス部が検出装置２２による検出位置Ｂに達した時点で、第１のテープ材８ａには、前述した予定残存数の電子部品４が残存するはずである。従って、検出装置２２がスプライス部を正しく検出していれば、計数装置４２による計数値は当該予定残存数に等しくなるか、それに近い値となる。なお、計数値が予定残存数に必ずしも一致しないのは、計数装置４２による計数値にも避けられない誤差が生じ得るためである。それに対して、検出装置２２がスプライス部を検出したときに、計数装置４２による計数値が予定残存数から大きく相違していれば、検出装置２２がスプライス部ではない部分をスプライス部として検出するなど、検出装置２２が誤作動を起したものと推定することができる。従って、計数装置４２による計数値が、所定の正常範囲内にあるのか否かを判定することで、検出装置２２による検出が、スプライス部を正しく検出したものであるのか、誤作動によるものであるのかを判別することができる。
【００２７】
上記した正常範囲は、適宜設定することができる。正常範囲は、固定された範囲であってもよいし、各種の第１のテープ材８ａに応じて変更されてもよい。一例ではあるが、判定装置４４は、第１のテープ材８ａが収容する電子部品数の初期値に所定の係数を乗じることによって、正常範囲を規定する上限又は下限の少なくとも一方を決定してもよい。例えば、判定装置４４は、下限値を０に固定した上で、上限値に関する係数を０．１としてもよい。この場合、初期値が１００００個であるとすると、正常範囲の上限値は１００００×０．１＝１０００個となり、０〜１０００個の範囲が正常範囲となる。
【００２８】
あるいは、判定装置４４は、第１のテープ材８ａが収容する電子部品数の初期値から所定の数を減算することによって、正常範囲を規定する上限又は下限の少なくとも一方を決定してもよい。例えば、下限値は０に固定した上で、上限値に関する減算値を９０００とすることができる。この場合、初期値が１００００個であるとすると、正常範囲の上限値は１００００−９０００＝１０００個となり、０〜１０００個の範囲が正常範囲となる。
【００２９】
あるいは、判定装置４４は、前述した予定残存数に応じて、正常範囲を変更することも有効である。例えば、判定装置４４は、第１のテープ材８ａの予定残存数に所定の係数を乗じることによって、正常範囲を規定する上限又は下限の少なくとも一方を決定することができる。また、判定装置４４は、第１のテープ材８ａの予定残存数に所定の数を加算又は減算することによって、正常範囲を規定する上限又は下限の少なくとも一方を決定することもできる。さらに、上記した所定の係数及び／又は所定の数は、第１のテープ材８ａの態様や、第１のテープ材８ａが収容する電子部品の種類に応じて、適宜変更されることも有効である。
【００３０】
計数装置４２による計数値が前記した正常範囲外であると、判定装置４４は、タッチパネル３２を用いて報知動作を実行する。具体的には、判定装置４４がタッチパネル３２へ所定のエラー信号を出力し、エラー信号を受けたタッチパネル３２が所定のエラー画面を表示する。それにより、検出装置２２による誤作動が作業者に報知される。なお、実装機１０は、タッチパネル３２による表示に代えて、検出装置２２が誤作動したことを示す音、その他の光、振動、電気信号、電波を外部に発してもよい。ここで、例えば検出装置２２の誤作動が所定の頻度を超えて発生する場合、判定装置４４は、実装機の生産動作を中止する処理を実行してもよい。
【００３１】
一方、計数装置４２による計数値が前記した正常範囲内であれば、補正装置４６が、計数装置４２による計数値を補正する処理を実行する。補正装置４６は、補正に用いる正常値として前述した予定残存数を記憶しており、計数装置４２による計数値を当該正常値に書き換える。これにより、計数装置４２による計数値に生じている誤差が排除される。前述したように、予定残存数は、検出装置２２がスプライス部を検出したときに第１のテープ材８ａに残存することが予定される電子部品数であって、第１のテープ材８ａが単位長さあたりに収容する電子部品数に応じて変化する。従って、補正装置４６は、第１のテープ材８ａが単位長さあたりに収容する電子部品数に応じて、正常値を変更するとよい。この場合、第１のテープ材８ａが単位長さあたりに収容する電子部品数は、作業者によって教示されてもよいし、データサーバといった外部の装置から教示されてもよい。なお、上述に限られず、補正装置４６が用いる正常値は、適宜決定されるものであってもよい。
【００３２】
以上のように、本実施例の実装機１０によると、検出装置２２がスプライス部を検出したときに、計数装置４２による計数値を参照することによって、検出装置２２による検出の適否を判別することができる。これにより、例えば検出装置２２が誤作動したときに、計数装置４２による計数値が不適切に補正されることを避けることができる。
【００３３】
以上、本発明の具体例を詳細に説明したが、これらは例示にすぎず、請求の範囲を限定するものではない。請求の範囲に記載の技術には、以上に例示した具体例を様々に変形、変更したものが含まれる。
【００３４】
例えば、検出装置２２の位置は適宜変更可能であり、例えば、検出装置２２が装着ヘッド１６に配置されてもよい。このような構成によると、図２に示す取上位置Ａと検出位置Ｂとを実質的に一致させることができる。この場合、検出装置２２がスプライス部を検出した時点で、第１のテープ材８ａに残存する電子部品数はゼロとなるので、第１のテープ材８ａの態様にかかわらず、上述した補正装置４６の正常値はゼロと設定することができる。
【００３５】
本明細書または図面に説明した技術要素は、単独であるいは各種の組み合わせによって技術的有用性を発揮するものであり、出願時の請求項に記載の組み合わせに限定されるものではない。また、本明細書または図面に例示した技術は複数目的を同時に達成するものであり、そのうちの一つの目的を達成すること自体で技術的有用性を持つものである。
【符号の説明】
【００３６】
２：回路基板
４：電子部品
６：リール
８：テープ材
８ａ：第１のテープ材（使用中のテープ材）
８ｂ：第１のテープ材の終端
８ｂ：第２のテープ材（次のテープ材）
８ｄ：第２のテープ材の始端
１０：電子部品実装機
１６：装着ヘッド
２０：テープフィーダ
２２：検出装置
３０：制御装置
３２：タッチパネル
４２：計数装置
４４：判定装置
４６：補正装置
【図１】
2020107906.tif 000003
【図２】
2020107906.tif 000004
【図３】
2020107906.tif 000005
【図４】
2020107906.tif 000006
【手続補正書】
【提出日】令和2年4月14日(2020.4.14)
【手続補正１】
【補正対象書類名】特許請求の範囲
【補正対象項目名】全文
【補正方法】変更
【補正の内容】
【特許請求の範囲】
【請求項１】
複数の電子部品を収容するテープ材を送り出すテープフィーダから取上位置において電子部品を取り上げて取り上げた電子部品を回路基板に装着する装着ヘッドを有する電子部品実装機であり、
前記テープフィーダが送り出す第１のテープ材が収容する電子部品数の初期値から、前記電子部品実装機の動作量に応じた消費数を減算することによって、前記第１のテープ材に残存する電子部品数を計数する計数装置と、
前記第１のテープ材の終端に第２のテープ材の始端を繋ぎ合わせたスプライス部を検出位置において検出する検出装置と、
前記検出装置が前記スプライス部を検出したときに、前記計数装置による計数値が所定の正常範囲内にあるのか否かを判定する判定装置と、
前記計数装置による計数値が前記正常範囲内にあるときに、前記計数装置による計数値を所定の正常値に補正する補正装置と、
を備え、
前記正常値は、前記検出位置と前記取上位置との間の距離に基づいて予め決定された電子部品数である電子部品実装機。
【請求項２】
前記正常値は、前記検出位置と前記取上位置との間の距離に、前記第１のテープ材が単位長さあたりに収容する電子部品数を乗じた数である請求項１に記載の電子部品実装機。
【請求項３】
複数の電子部品を収容するテープ材を送り出すテープフィーダから取上位置において電子部品を取り上げて取り上げた電子部品を回路基板に装着する装着ヘッドを有する電子部品実装機であり、
前記テープフィーダが送り出す第１のテープ材が収容する電子部品数の初期値から、前記電子部品実装機の動作量に応じた消費数を減算することによって、前記第１のテープ材に残存する電子部品数を計数する計数装置と、
前記第１のテープ材の終端に第２のテープ材の始端を繋ぎ合わせたスプライス部を検出位置において検出する検出装置と、
前記検出装置が前記スプライス部を検出したときに、前記計数装置による計数値が所定の正常範囲内にあるのか否かを判定する判定装置と、
を備え、
前記判定装置は、前記検出位置と前記取上位置との間の距離に基づいて予め決定された電子部品数に応じて前記正常範囲を変更する電子部品実装機。
【請求項４】
前記判定装置は、前記検出位置と前記取上位置との間の距離に基づいて予め決定された電子部品数に、所定の係数を乗じることによって、正常範囲を規定する上限または下限の少なくとも一方を決定する請求項３に記載の電子部品実装機。
【請求項５】
前記判定装置は、前記検出位置と前記取上位置との間の距離に基づいて予め決定された電子部品数に、所定の数を加算又は減算することによって、正常範囲を規定する上限又は下限の少なくとも一方を決定する請求項３に記載の電子部品実装機。
【請求項６】
電子部品実装機を用いて電子部品を回路基板に装着する電子部品実装方法であって、
複数の電子部品を収容する第１のテープ材を、装着ヘッドが電子部品を取り上げる位置である取上位置へ送り出す送り出し工程と、
前記第１のテープ材が収容する電子部品数の初期値から、前記電子部品実装機の動作量に応じた消費数を減算することによって、前記第１のテープ材に残存する電子部品数を計数する計数工程と、
前記第１のテープ材の終端に第２のテープ材の始端を繋ぎ合わせたスプライス部を検出位置において検出する検出工程と、
前記検出工程において前記スプライス部を検出したときに、前記計数工程において計数された計数値が所定の正常範囲内にあるのか否かを判定する判定工程と、
前記計数値が前記正常範囲内にあるときに、前記検出位置と前記取出位置との間の距離に基づいて予め決定された電子部品数である正常値に、前記計数値を補正する補正工程と、
を含む電子部品実装方法。
【請求項７】
電子部品実装機を用いて電子部品を回路基板に装着する電子部品実装方法であって、
複数の電子部品を収容する第１のテープ材を、装着ヘッドが電子部品を取り上げる位置である取上位置へ送り出す送り出し工程と、
前記第１のテープ材が収容する電子部品数の初期値から、前記電子部品実装機の動作量に応じた消費数を減算することによって、前記第１のテープ材に残存する電子部品数を計数する計数工程と、
前記第１のテープ材の終端に第２のテープ材の始端を繋ぎ合わせたスプライス部を検出位置において検出する検出工程と、
前記検出工程において前記スプライス部を検出したときに、前記計数工程において計数された計数値が、所定の正常範囲内にあるのか否かを判定する判定工程と、
前記判定工程の判定に用いられる前記正常範囲を、前記検出位置と前記取出位置との間の距離に基づいて予め決定された電子部品数に応じて変更する変更工程と、
を含む電子部品実装方法。